(57)【特許請求の範囲】
【請求項１】
画像原稿に光を照射して、前記光の反射光を受光し、前記受光光に基づいて前記画像原稿を読み取る画像読取装置であって、
光の３原色それぞれを発光する発光手段と、
前記発光手段により照射され画像原稿により反射した反射光を受光する受光手段を有するラインイメージセンサと、
前記ラインイメージセンサを移動させながら前記発光手段により光の３原色それぞれを線順次に前記画像原稿に照射し、前記画像原稿を読み取る原色読み、或は、前記ラインイメージセンサを移動させながら前記発光手段により光の３原色の内、３つの異なる組み合わせの２原色ずつを同時に前記画像原稿に線順次に照射し、前記画像原稿を読み取る補色読みを用いて前記画像原稿を読み取るよう発光手段を制御する点灯制御手段と、
前記画像原稿の読み取りが前記原色読みであるか或は前記補色読みであるかに従って、前記受光手段により受光した反射光に基づいて得られる画像データの画像処理に用いるフィルタを異ならせて処理する画像処理手段とを有し、
前記補色読みにおける画像処理に用いられるフィルタの特性は、前記原色読みにおける画像処理に用いられるフィルタの特性と比べて、強くエッジ強調される特性を有することを特徴とする画像読取装置。
【請求項２】
前記発光手段は、赤色ＬＥＤと緑色ＬＥＤと青色ＬＥＤとを含むことを特徴とする請求項１に記載の画像読取装置。
【請求項３】
前記フィルタのデータを格納するメモリをさらに有することを特徴とする請求項１又は２に記載の画像読取装置。
【請求項４】
前記フィルタのサイズは３×３画素であることを特徴とする請求項１乃至３のいずれか１項に記載の画像読取装置。
【請求項５】
請求項１乃至４のいずれか１項に記載の画像読取装置と、
前記画像読取装置によって読取された画像を表す画像データ、或は外部から入力された画像データに基づいて記録媒体に画像を記録する記録手段とを有することを特徴とするマルチファンクションプリンタ装置。
【請求項６】
光の３原色それぞれを発光する発光手段から画像原稿に光を照射して、受光手段を有するラインイメージセンサを移動させながら前記光の反射光を受光し、前記受光光に基づいて得られる画像データを画像処理する画像読取装置における画像処理方法であって、
前記発光手段により光の３原色それぞれを前記画像原稿に線順次で照射し、前記画像原稿を読み取る原色読みと、前記発光手段により光の３原色の内、３つの異なる組み合わせの２原色ずつを同時に前記画像原稿に線順次で照射し、前記画像原稿を読み取る補色読みとのいずれかにより前記画像原稿を読み取る読取工程と、
前記画像原稿の読み取りが前記原色読みであるか或は前記補色読みであるかに従って、前記受光手段により受光した反射光に基づいて得られる画像データの画像処理に用いるフィルタを異ならせて処理する画像処理工程とを有し、
前記補色読みにおける画像処理に用いられるフィルタの特性は、前記原色読みにおける画像処理に用いられるフィルタの特性と比べて、強くエッジ強調される特性を有することを特徴とする画像処理方法。
【発明の詳細な説明】
【技術分野】
【０００１】
本発明は画像読取装置、マルチファンクションプリンタ装置、及び画像処理方法に関する。本発明は、特に、画像原稿を光学的に読込んで得られた画像データが表現する濃度或は輝度を補正する画像読取装置、マルチファンクションプリンタ装置、及び画像処理方法に関する。
【背景技術】
【０００２】
互いに異なる発光波長の光を切り替えて画像読取りを行う画像読取装置としてカラースキャナが知られている。このようなカラースキャナでは、所定方向に移動可能に設けられたキャリッジにライン状の光源とイメージセンサが搭載されている。光源には赤（Ｒ）、緑（Ｇ）、青（Ｂ）の光の３原色に対応した発光波長を照射可能なＬＥＤが用いられる。そして、ライン状の光源の長手方向（主走査方法）と交差する方向（副走査方向）にキャリッジを移動させながらし、画像原稿に光を照射して得られる反射光がライン状のイメージセンサに受光されて画像原稿が読み取られる。また、画像原稿の読み取り方法としては移動読み方法が用いられる。
【０００３】
移動読み方法とは、ＣＩＳユニットを副走査方向に搬送しながら、光源として用いる３つのＬＥＤを切り替えながら読み取る方法である。即ち、赤色ＬＥＤを点灯させてカラー画像のＲ成分データを得、次に緑色ＬＥＤを点灯させてＧ成分データを得、最後に青色ＬＥＤを点灯させてＢ成分データを得る。赤色、緑色、青色ＬＥＤ点灯サイクルを１サイクルとして１ライン分の画像データを得る。ＣＩＳユニットを副走査方向に搬送しながら、この点灯サイクルを繰り返すことで、画像原稿１ページ分の画像データを得る。
【０００４】
さて、赤色、緑色、青色ＬＥＤを順次点灯させる移動読みでは色ずれが発生する。この色ずれを軽減する方法として、特許文献１に開示されているように、電荷の読み出しタイミング間に２色のＬＥＤ光源を点灯させて読み取る方法が知られている。
【０００５】
また、信号対雑音比を改善するために高輝度なＬＥＤを用いるにはコストがかかるという問題がある。この問題を解決するため、特許文献２に開示されているような２色のＬＥＤ光源を同時に点灯させて画像を読み取る方法が知られている。
【０００６】
さらに、特許文献３に記載のように、ネガ原稿やポジ原稿のように原稿の種類に応じて照明光を切り替えることによって、原稿に適切な読取動作を行う画像形成装置も知られている。
【０００７】
図１３は同じタイミングでは１色のＬＥＤだけを点灯させて画像原稿を読み取る原色読取方法について示す図である。
【０００８】
図１３に示すように、この方法によれば、赤色（Ｒ）ＬＥＤ、緑色（Ｇ）ＬＥＤ、青色（Ｂ）ＬＥＤを順に点灯させ、パルス信号ＳＨに同期して各色成分のデータを出力する。赤色ＬＥＤが点灯から消灯に変わり、パルス信号ＳＨがオンとなったタイミングでＲ成分データが出力される。同様に、緑色ＬＥＤ、青色ＬＥＤも点灯から消灯に変わり、パルス信号ＳＨがオンとなったタイミングでそれぞれ、Ｇ成分データ、Ｂ成分データが出力される。
【０００９】
白色原稿を読み取った場合の輝度値を（Ｒ，Ｇ，Ｂ）＝（２５５，２５５，２５５）、シアン色原稿を読み取った場合の輝度値を（Ｒ，Ｇ，Ｂ）＝（０，２５５，２５５）とする。
【００１０】
図１３に示すようなタイミングで原稿が白色からシアン色に変わるエッジを読み取った場合、ライン（ａ）の出力データは（Ｒ，Ｇ，Ｂ）＝（２５５，２５５，２５５）、ライン（ｂ）の出力データは（Ｒ，Ｇ，Ｂ）＝（０，２５５，２５５）となる。ライン（ａ）において、赤色ＬＥＤの発光タイミングでは原稿の色は白なので、Ｒ成分の輝度出力値は２５５となる。また、緑色ＬＥＤ、青色ＬＥＤの発光タイミングでは原稿の色はシアンなのでＧ成分の輝度出力値は２５５、Ｂ成分の輝度出力値も２５５となる。
【００１１】
図１４はＬＥＤを２色同時に点灯（２原色の同時点灯）させて画像原稿を読み取る補色読取方法について示す図である。
【００１２】
図１３と同様のタイミングで原稿が白色からシアン色に変わるエッジを図１４に示す補色読取方法で読み取った場合の輝度出力値は次のようになる。即ち、ライン（ｃ）の出力データは（ＲＧ，ＧＢ，ＢＲ）＝（５１０，５１０，２５５）、ライン（ｄ）の出力データは（ＲＧ，ＧＢ，ＢＲ）＝（２５５，５１０，２５５）となる。読み取ったデータを式（１）によってＲＧＢ各色成分の輝度値に変換すると、夫々、ライン（ｃ）は（Ｒ，Ｇ，Ｂ）＝（１２８，２５５，１２８）、ライン（ｄ）は（Ｒ，Ｇ，Ｂ）＝（０，２５５，２５５）となる。
【００１３】
【数１】
0004933418.tif 000002
【００１４】
得られたライン（ａ）〜（ｄ）の値を用いて、式（２）によってＣＴＦ（contrast transfer function）を算出すると、原色読取方法によればＣＴＦ＝１８％、補色読取方法によればＣＴＦ＝７％となる。
【００１５】
【数２】
0004933418.tif 000003
【００１６】
なお、式（２）においてＷpは最大輝度、Ｂpは最小輝度である。
【００１７】
算出したＣＴＦを比較すると分かるように、原色読取方法により得られたＣＦＴ値に比べて、補色読取方法により得られたＣＴＦ値のほうが小さくなり、エッジがぼけた画像として読み取られる。原色読取方法と補色読取方法とでは、副走査方向の読取方法が変わるため、副走査方向のエッジ部でＣＴＦの値が変わりやすくなる。
【００１８】
また、図１５に示すような２色ＬＥＤ時分割点灯方法により画像原稿を読み取る場合についても、上記の２色同時点灯による画像原稿読取の場合と同様のことが言える。
【特許文献１】特開２００５−１８４３９０号公報
【特許文献２】特開２００６−１９７５３１号公報
【特許文献３】特許第３７５０４２９号公報
【発明の開示】
【発明が解決しようとする課題】
【００１９】
このように原色読取と補色読取のように画像原稿の読取方法の違いによって、上記従来例では、エッジ部の読取再現性が異なる。
【００２０】
さて、画像原稿の読み取り処理では従来からも種々のフィルタ処理を含む画像処理を行ってきた。しかしながら、上記従来例では、例えば、原色読取方法と補色読取方法のように画像読取方法が異なると一つのフィルタ設定値を用いた同じフィルタ処理による読取画像の品位向上の効果を得ることができないという問題があった。
【００２１】
本発明は上記従来例に鑑みてなされたもので、画像読取方法が異なっても夫々の読取方法に適したフィルタ処理を行なうことができる画像読取装置、マルチファンクションプリンタ装置、及び画像処理方法を提供することを目的としている。
【課題を解決するための手段】
【００２２】
上記目的を達成するために本発明の画像読取装置は、以下のような構成からなる。
【００２３】
即ち、画像原稿に光を照射して、前記光の反射光を受光し、前記受光光に基づいて前記画像原稿を読み取る画像読取装置であって、光の３原色それぞれを発光する発光手段と、前記発光手段により照射され画像原稿により反射した反射光を受光する受光手段を有するラインイメージセンサと、前記ラインイメージセンサを移動させながら前記発光手段により光の３原色それぞれを線順次に前記画像原稿に照射し、前記画像原稿を読み取る原色読み、或は、前記ラインイメージセンサを移動させながら前記発光手段により光の３原色の内、３つの異なる組み合わせの２原色ずつを同時に前記画像原稿に線順次に照射し、前記画像原稿を読み取る補色読みを用いて前記画像原稿を読み取るよう発光手段を制御する点灯制御手段と、前記画像原稿の読み取りが前記原色読みであるか或は前記補色読みであるかに従って、前記受光手段により受光した反射光に基づいて得られる画像データの画像処理に用いるフィルタを異ならせて処理する画像処理手段とを有し、前記補色読みにおける画像処理に用いられるフィルタの特性は、前記原色読みにおける画像処理に用いられるフィルタの特性と比べて、強くエッジ強調される特性を有することを特徴とする。
【００２４】
また他の発明によれば、上記構成の画像読取装置と、前記画像読取装置によって読取された画像を表す画像データ、或は外部から入力された画像データに基づいて記録媒体に画像を記録する記録手段とを有することを特徴とするマルチファンクションプリンタ装置を備える。
【００２５】
さらに他の発明によれば、光の３原色それぞれを発光する発光手段から画像原稿に光を照射して、受光手段を有するラインイメージセンサを移動させながら前記光の反射光を受光し、前記受光光に基づいて得られる画像データを画像処理する画像読取装置における画像処理方法であって、前記発光手段により光の３原色それぞれを前記画像原稿に線順次で照射し、前記画像原稿を読み取る原色読みと、前記発光手段により光の３原色の内、３つの異なる組み合わせの２原色ずつを同時に前記画像原稿に線順次で照射し、前記画像原稿を読み取る補色読みとのいずれかにより前記画像原稿を読み取る読取工程と、前記画像原稿の読み取りが前記原色読みであるか或は前記補色読みであるかに従って、前記受光手段により受光した反射光に基づいて得られる画像データの画像処理に用いるフィルタを異ならせて処理する画像処理工程とを有し、前記補色読みにおける画像処理に用いられるフィルタの特性は、前記原色読みにおける画像処理に用いられるフィルタの特性と比べて、強くエッジ強調される特性を有することを特徴とする画像処理方法を備える。
【発明の効果】
【００２６】
従って本発明によれば、画像原稿の読み取りが原色読みであるか或は補色読みであるかに従って、画像処理に用いるフィルタを異ならせて、画像原稿に基づいて得られる画像データを画像処理するので、夫々の読取方法に適したフィルタ処理を行うことができる。これにより、読取画像の品位を向上させることができる。
【発明を実施するための最良の形態】
【００２７】
以下添付図面を参照して本発明の好適な実施例について、さらに具体的かつ詳細に説明する。なお、既に説明した部分には同一符号を付し重複説明を省略する。
【００２８】
なお、この明細書において、「記録」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００２９】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００３０】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００３１】
またさらに、「記録要素」とは、特にことわらない限り吐出口ないしこれに連通する液路およびインク吐出に利用されるエネルギーを発生する素子を総括して言うものとする。
【００３２】
最初に共通実施例として用いるマルチファンクションプリンタ装置（以下、ＭＦＰ装置）の構成について説明する。
【００３３】
＜ＭＦＰ装置＞
図１は本発明の代表的な実施例であるＭＦＰ装置１００の概観斜視図である。
【００３４】
ＭＦＰ装置は、接続されたホスト（不図示）からの画像データに基づいて、記録用紙などの記録媒体に画像を記録する以外に、メモリカードなどに格納された画像データに基づいた記録や画像原稿を読取って複写することができる。
【００３５】
図１において、（ａ）は原稿カバー１０３が閉じられた状態を示しており、（ｂ）は記録媒体の載置トレー１０１、排紙トレー１０２、及び原稿カバー１０３が開けられた状態を示している。
【００３６】
また、コンタクトイメージセンサ（ＣＩＳ）ユニットを備える読取部８は画像原稿を読取り、Ｒ成分、Ｇ成分、Ｂ成分のアナログ輝度信号を出力する。カードインタフェース９は、例えば、デジタルスチルカメラ（不図示）で撮影された画像ファイルを記録したメモリカードなどを挿入して、操作部４の所定の操作に従い、そのメモリカードから画像データを読み込むのに使用される。また、ＭＦＰ装置１００にはＬＣＤ１１０のような表示部が設けられている。ＬＣＤ１１０は操作部４による設定内容の表示や機能選択メニューの表示のために用いられる。
【００３７】
図２は図１で示したＭＦＰ装置の上部に備え付けられた画像読取装置の断面図である。
【００３８】
図２に示すように、画像読取装置２００は本体部２１０と読取対象となる原稿２２０を押さえつけ外部からの光を遮光する圧板２３０とから構成される。圧板２３０は原稿カバー１０３の裏面にセットされている。本体部２１０には光学ユニット２４０、光学ユニット２４０と電気的に接続された回路基板２５０、光学ユニット２４０を走査させる際のレールとなるスライディングロッド２６０、原稿台ガラス２７０が備えられる。光学ユニット２４０には原稿２２０に光を照射し、その反射光を受光して電気信号に変換するするコンタクトイメージセンサ（ＣＩＳ）ユニット３００が内蔵される。画像読取の際には原稿台ガラス２７０上に置かれた原稿２２０を光学ユニット２４０が矢印Ｂの方向（副走査方向）に走査することにより原稿２２０に記録された画像の読取を行う。
【００３９】
図３はコンタクトイメージセンサ（ＣＩＳ）ユニット３００の詳細な構造を示す側断面図である。
【００４０】
ＣＩＳユニット３００は、図３に示すように、赤色光を発光する赤色ＬＥＤ３０３と緑色光を発光する緑色ＬＥＤ３０４と青色光を発光する青色ＬＥＤ３０５とを備えている。原稿読取時には１ライン毎に各色ＬＥＤを時分割で点灯させ、点灯した光を導光体３０２を通して均一に原稿に対し照射しその反射光をセルフォックレンズ３０１で画素毎に集光する。その光をＣＩＳユニット内の光電変換素子（不図示）上に結像することによって、受光光を電気信号に変換する。このようにして、ＲＧＢ各色成分の色信号からなる１ライン分の画像信号を出力する。ＣＩＳユニット３００を副走査方向に移動させることにより原稿全面の画像読取を行う。なお、セルフォックレンズ３０１の各セルの配列方向を示す矢印Ａの方向を主走査方向という。主走査方向と副走査方向とは互いに直交している。図２では、主走査方向は紙面に対して垂直方向となる。
【００４１】
図４は画像読取装置の制御回路の構成を示すブロック図である。
【００４２】
なお、図４において、既に図１〜図３において説明した構成要素には同じ参照番号を付し、その説明は省略する。
【００４３】
ＣＩＳユニット３００はＬＥＤ駆動回路４０３において１ライン毎に各色のＬＥＤ３０３〜３０５を切り替えて点灯させることにより、線順次にカラー画像を読み取る。ＬＥＤ３０３〜３０５は原稿への照射光量を変化させることが可能な光源である。また、ＬＥＤ駆動回路４０３はＬＥＤ３０３〜３０５を任意に点灯させることが可能である。
【００４４】
即ち、ＬＥＤ３０３〜３０５を１つずつ順次点灯させることも、２つずつ順次点灯させることも、場合によっては３つ全て点灯させることも可能である。増幅器（ＡＭＰ）４０４はＣＩＳユニット３００より出力された信号を増幅し、Ａ／Ｄ変換回路４０５はその増幅された電気信号をＡ／Ｄ変換して、例えば、各画素各色成分１６ビットのデジタル画像データを出力する。 画像処理部６００は、Ａ／Ｄ変換回路４０５によって変換されたデジタル画像データを処理する。インタフェース制御回路４０６は画像処理部６００から画像データを読み込んで、外部装置４１２との間で制御データの授受や画像データの出力を行う。また、画像処理部６００からの画像データは画像記録部にも出力することができる。外部装置４１２とは、例えば、パーソナルコンピュータ（不図示）などである。
【００４５】
画像記録部７００は、インタフェース制御回路４０６からの画像データを画素毎に「記録する」「記録しない」の２値データに変換し、記録媒体に記録剤を用いて画像を記録する。画像記録部７００には、例えば、インクジェットプリンタや電子写真方式を用いたレーザビームプリンタ、或は昇華型プリンタなどを用いることができる。これらのプリンタについては公知なので、ここではその詳細な説明は省略する。
【００４６】
以上のような一連の処理は、動作内容によって２種類に大別できる。
【００４７】
まず、ＭＦＰ装置単体としてコピー動作や画像読取（スキャン）動作を行う場合について述べる。この場合、装置利用者は操作部４によって必要な指示を行なう。
【００４８】
図５は操作部４の詳細な構成例を示す図である。ここで、図５を参照して、操作部４の構成について説明する。
【００４９】
操作部４からの出力信号はＣＰＵ４０９の入力ポートに接続されている。ボタン５０１は電源キーである。ボタン５０２は機能選択ボタンである。ボタン５０２の押下回数によって動作可能な機能内容がＬＣＤ１１０に表示される。表示された機能内容に従って操作を加え、決定ボタン５０３を押下すればその内容がＲＡＭ４１１にセットされる。ボタン５０４はキャンセルボタンである。ボタン５０５を押下するとＲＡＭ４１１の設定に従いカラーコピー動作を開始する。ボタン５０６を押下するとＲＡＭ４１１の設定に従いモノクロコピー動作を開始する。ボタン５０７では枚数指定や濃度の指定等を実施する際に押下する。ボタン５０８はリセットボタンであり、スキャンや印刷をキャンセルする際に押下することが可能である。
【００５０】
再び図４を参照して説明する。
【００５１】
前述のような操作部４からの動作指示は、マイクロコンピュータ形態のＣＰＵ４０９により制御される。その制御はＲＯＭ４１０に格納された処理プログラム（後述の図６における“制御プログラム６７０”）をＣＰＵ４０９が読み出し、ＲＡＭ４１１を作業領域として用いて実行される。さらに、図４において、４０７は、例えば、水晶発振器などの基準信号発振器（ＯＳＣ）、４０８はＣＰＵ４０９の設定に応じて基準信号発振器４０７の出力を分周して動作の基本となる各種タイミング信号を発生するタイミング信号発生回路である。
【００５２】
パーソナルコンピュータ（外部装置４１２）からの指示に基づいて動作する場合には、コピー、画像読取（スキャン）等の指示がパーソナルコンピュータからを介して、ＣＰＵ４０９に発令される。以降の動作はＭＦＰ装置単体としてコピーや画像読取（スキャン）動作を行う場合と同じである。
【００５３】
ＬＥＤ４１４はＬＣＤ１１０のバックライト光源となるＬＥＤであり、タイミング信号発生回路４０８から出力される点灯信号により点灯制御される。
【００５４】
次に、画像処理部６００の詳細について述べる。
【００５５】
図６は画像処理部６００の詳細な構成を示すブロック図である。
【００５６】
Ａ／Ｄ変換回路４０５によって変換されたデジタル画像データは、シェーディング補正部６１０に入力される。シェーディング補正部６１０では、画像読取装置２００の原稿台ガラス２７０に貼り付けられた指標板（不図示）の裏面に貼り付けられた標準白色板（不図示）を読み取ることによりシェーディング補正を行う。
【００５７】
また、シェーディング補正に用いるデータは、ＲＯＭ４１０に格納されているシェーディングデータ６１１を用いる。シェーディング補正を経たデジタル画像データは、プレガンマ変換部６２０に入力される。ここでは視覚的に好適な輝度分布となるようにガンマ補正を行う。また、プレガンマ変換部６２０で用いるデータは、ＲＯＭ４１０に格納されているプレガンマデータ６２１を用いる。プレガンマ変換を経たデジタル画像データは色補正処理部６３０に入力され、プレガンマ変換を経たデジタル画像データを、好適な色彩となるように変換処理する。色補正処理部６３０で用いるデータは、ＲＯＭ４１０に格納されている色補正データ６３１を用いる。
【００５８】
色補正処理部６３０を経たデジタル画像データはフィルタ処理部６４０へ入力される。フィルタ処理部６４０では、デジタル画像データに対してエッジ強調やノイズリダクションなどのフィルタ処理が行われる。このフィルタ処理で用いられるデータは、ＲＯＭ４１０に格納されているフィルタデータ６４１を用いる。フィルタ処理部６４０を経たデジタル画像データは、ポストガンマ変換部６５０へ入力される。ポストガンマ変換部６５０では、入力されたデジタル画像データの輝度特性を用途に応じて再度微調整する。ポストガンマ変換部６５０で用いるデータは、ＲＯＭ４１０に格納されているポストガンマデータ６５１を用いる。ポストガンマ変換部６５０を経たデジタル画像データは、インタフェース制御回路４０６へ出力される。これらのデータのＲＯＭ４１０から各処理部へのセットは、制御プログラム６７０の内容をＣＰＵ４０９が読み出して実行することで実現する。
【００５９】
また、補色反転部６６０では、補色読みが指示された際にのみ使用される画像処理部であり、その処理もＲＯＭ４１０に格納されている制御プログラム６７０で制御される。その際用いられる補色反転用データはＲＯＭ４１０に格納されている補色反転データ６６１を用いる。さらにまた、この制御プログラムは、ＬＥＤ駆動回路４０３の動作も制御するプログラムである。
【００６０】
次に、以上の構成のＭＦＰ装置において実行されるフィルタ処理について詳細に説明する。
【００６１】
ここでは、フィルタ処理部６４０のフィルタサイズを３×３画素として説明する。
【００６２】
図７はフィルタ処理について説明した図である。
【００６３】
図７において一つの枠は１画素を表す。注目画素をＥ、その周辺画素をＡ〜Ｉとし、フィルタ設定値をａ〜ｉとすると、フィルタ処理後の注目画素Ｅ′は式（３）で表すことができる。
【００６４】
【数３】
0004933418.tif 000004
【００６５】
図８はフィルタ処理部６４０のフィルタに設定される設定値の一例を示す図である。
【００６６】
図８に示すような設定値を適用するとフィルタ処理部６４０はローパスフィルタとして機能する。ローパスフィルタは読取画像のエッジをぼかし、滑らかな画像に変換する効果がある。
【００６７】
図９はフィルタ処理部６４０のフィルタに設定される設定値の別の例を示す図である。
【００６８】
図９に示すような設定値を適用するとフィルタ処理部６４０はハイパスフィルタとして機能する。ハイパスフィルタは読取画像のエッジを強調し、くっきりとした画像に変換する効果がある。
【００６９】
この実施例では、画像原稿を読取る際に用いる読取方法に従って、フィルタ設定値を切り替える。
【００７０】
図１０は読取方法によってフィルタ設定値を切り替える処理を示すフローチャートである。
【００７１】
ステップＳ１０１では画像原稿読取に用いる読取方法の種類を調べる。この処理では、その方法が原色読取、或は、補色読取であるかを調べる。ここで、その読取方法が原色読取である場合、処理はステップＳ１０２に進み、その読取方法が補色読取である場合、処理はステップＳ１０３に進む。
【００７２】
ステップＳ１０２では、原色読取に対してフィルタ設定値１が選択され適用される。また、ステップＳ１０３では補色読取に対してフィルタ設定値２が選択され適用される。
【００７３】
図１１は原色読取の場合に適用されるフィルタ設定値を示す図であり、図１２は補色読取の場合に適用されるフィルタ設定値を示す図である。
【００７４】
図１１と図１２とを比較すると分かるように、補色読取は原色読取と比較してエッジの読取再現性が異なるので、図１２に示す設定値が表すように、図１１に示す設定値よりも強くエッジ強調される設定値を適用する。
【００７５】
次に、ステップＳ１０４では、選択したフィルタ設定値を用いて画像にフィルタ処理を施す。
【００７６】
従って以上説明した実施例に従えば、画像原稿読取に用いられる読取方法に従って最適なフィルタ処理を行うことができる。
【００７７】
なお、以上説明した実施例では、フィルタサイズを３×３画素として説明したが、本発明はこれにより限定されるものではない。また、フィルタ係数の設定値に関しても、上記の例に限らない。
【００７８】
以上の実施例は、特にインクジェット記録方法の中でも、インク吐出のために熱エネルギーを発生する手段（例えば電気熱変換素子等）を備え、その熱エネルギーによりインクの状態変化を生起させる方法を用いて記録の高密度化、高精細化が達成できる。
【図面の簡単な説明】
【００７９】
【図１】本発明の代表的な実施例であるマルチファンクションプリンタ（ＭＦＰ）装置の概観斜視図である。
【図２】図１で示したＭＦＰ装置の上部に備え付けられた画像読取装置の断面図である。
【図３】コンタクトイメージセンサ（ＣＩＳ）ユニットの詳細な構造を示す側断面図である。
【図４】画像読取装置の制御回路の構成を示すブロック図である。
【図５】操作部の詳細な構成例を示す図である。
【図６】画像処理部の詳細な構成を示すブロック図である。
【図７】フィルタ処理について説明した図である。
【図８】フィルタ処理部６４０のフィルタに設定される設定値の一例を示す図である。
【図９】フィルタ処理部６４０のフィルタに設定される設定値の別の例を示す図である。
【図１０】読取方法によってフィルタ設定値を切り替える処理を示すフローチャートである。
【図１１】原色読取の場合に適用されるフィルタ設定値を示す図である。
【図１２】補色読取の場合に適用されるフィルタ設定値を示す図である。
【図１３】同じタイミングでは１色のＬＥＤだけを点灯させて画像原稿を読み取る原色読取方法について示す図である。
【図１４】ＬＥＤを２色同時に点灯させて画像原稿を読み取る補色読取方法について示す図である。
【図１５】２色ＬＥＤ時分割点灯方法により画像原稿を読み取る方法について示す図である。
【符号の説明】
【００８０】
１００  ＭＦＰ装置
１０１  載置トレー
１０２  排紙トレー
１０３  原稿カバー
１１０  ＬＣＤ
２００  画像読取装置
３００  ＣＩＳユニット
３０１  セルフォックレンズ
３０２  導光体
３０３  赤色ＬＥＤ
３０４  緑色ＬＥＤ
３０５  青色ＬＥＤ
４０３  ＬＥＤ駆動回路
４０４  増幅器（ＡＭＰ）
４０５  Ａ／Ｄ変換回路
４０６  インタフェース制御回路
４１２  外部装置
６００  画像処理部
６１０  シェーディング補正部
６２０  プレガンマ変換部
６３０  色補正処理部
６４０  フィルタ処理部
６５０  ポストガンマ変換部
６６０  補色反転部
６７０  制御プログラム
７００  画像記録部
【図１】
0004933418.tif 000005
【図２】
0004933418.tif 000006
【図３】
0004933418.tif 000007
【図４】
0004933418.tif 000008
【図５】
0004933418.tif 000009
【図６】
0004933418.tif 000010
【図７】
0004933418.tif 000011
【図８】
0004933418.tif 000012
【図９】
0004933418.tif 000013
【図１０】
0004933418.tif 000014
【図１１】
0004933418.tif 000015
【図１２】
0004933418.tif 000016
【図１３】
0004933418.tif 000017
【図１４】
0004933418.tif 000018
【図１５】
0004933418.tif 000019